(57)【特許請求の範囲】
【請求項１】
構造物の構外の床面に埋設する防水シート収納用ピット（１）と、このピット（１）の両側に設けた戸当り（２），（２）と、前記ピット（１）に下縁を緊密に固定し、両側縁が前記戸当り（２），（２）に接する幅員の防水シート（３）とを備え、前記防水シート（３）の上縁に両端が防水シート（３）の側縁より突出するパイプ（４）を取付けると共に、前記防水シート（３）の両側縁の構外側に突条（３ａ），（３ａ）を形成し、この突条（３ａ），（３ａ）に適数の止ピン挿入孔（３ｂ）を上下方向に適宜間隔で設け、前記戸当り（２），（２）には、前記止ピン挿入孔（３ｂ）と係合する止ピン（５）を植設し、且つ、上部に前記パイプ端部の受け部（２ａ），（２ａ）を設け、更に前記防水シート（３）の突条（３ａ），（３ａ）の内側と係合する突条（６ａ）を設けたコ状の防水シート押え版（６），（６）を蝶着すると共に、クレセントロック金具と称される前記防水シート押え版（６），（６）の締付け金具（７）のレバー（７ａ）を戸当り（２），（２）に、またフック金具（７ｂ）を前記防水シート押え版（６）に設けたことを特徴とする防水シート式浸水防止装置。
【発明の詳細な説明】
【技術分野】
【０００１】
本発明は、構築物の入口からの浸水を迅速且つ簡便に防ぐことのできる防水シート式浸水防止装置に関するものである。
【背景技術】
【０００２】
現在、ゲリラ豪雨等の問題が多く採り上げられている中、民間企業や一般家庭あるいは地下駐車場入口や地下鉄入口等の浸水対策が問題となっている。
【０００３】
海抜の低い土地に建てられた構築物の入口や、地下に通ずる構築物の入口には、異常出水に備えて浸水防止装置が設けられている。
【０００４】
この種の浸水防止装置としては、従来、構築物の入口にアルミニーム板やスチール板等からなる浸水防止パネルを適数枚両側に設けたスリットに挿入して立て付け、間口を閉塞するのが一般的である。
【０００５】
しかし、この種の浸水防止パネルは、高価である・持ち運びが困難・収納場所に困るなどという欠点があるばかりでなく、ゲリラ豪雨のように緊急洪水に対しては立て付けに時間を要し不向きであった。
【０００６】
この問題を解決する手段として、構築物の入口の外側の床面に防水シートを収納したピットを設けておき、緊急時にピットの蓋を外して下縁をピットに緊密に固定した前記防水シートの両側縁を、間口の両側に設けた戸当りに密着させるようにしたものがあるが、防水シートを戸当りに密着させる構造に問題があった。
【０００７】
即ち、従来の方法として、例えば、
ａ）縁部シートと水密ファスナーで綴る構造
ｂ）防水シートの両側縁を当て金を介して戸当りにボルト止する構造
ｃ）特殊構造の当て柱と締付け金具で防水シートを戸当りに圧接する構造
等がある。
【０００８】
しかし、ａ）の方法は、使い勝手は良いが、水密ファスナーの耐久性に問題がある。また、ｂ）の方法は、防水シートの両側を戸当りに密着させるのに時間を要し、緊急時に対応することが出来ないばかりか、原状回復に手間取るもので、使い勝手が悪いという欠点がある。また、ｃ）の方法は、防水シートの両側縁の中間部の戸当りとの密接性に問題がある等の難点がある。
【先行技術文献】
【特許文献】
【０００９】
【特許文献１】特開２００１−１８２４５２号公報
【特許文献２】特開２００５−２２６４１１号公報
【発明の概要】
【発明が解決しようとする課題】
【００１０】
そこで、本発明は、防水シート式浸水防止装置において、防水シートの立て付け、及び現状回復時における防水シートのピットへの収納を迅速且つ簡便に行うことが出来る防水シート式浸水防止装置を提供しようとするものである。
【課題を解決するための手段】
【００１１】
本発明は、上記の課題を解決するためになされたもので、構造物の構外の床面に埋設する防水シート収納用ピット１と、このピット１の両側に設けた戸当り２，２と、前記ピット１に下縁を緊密に固定し、両側縁が前記戸当り２，２に接する幅員の防水シート３とを備え、前記防水シート３の上縁に両端が防水シート３の側縁より突出するパイプ４を取付けると共に、前記防水シート３の両側縁の構外側に突条３ａ，３ａを形成し、この突条３ａ，３ａに適数の止ピン挿入孔３ｂを上下方向に適宜間隔で設け、前記戸当り２，２には、前記止ピン挿入孔３ｂと係合する止ピン５を植設し、且つ、上部に前記パイプ端部の受け部２ａ，２ａを設け、更に前記防水シート３の突条３ａ，３ａの内側と係合する突条６ａを設けたコ状の防水シート押え版６，６を蝶着すると共に、クレセントロック金具と称される前記防水シート押え版６，６の締付け金具７のレバー７ａを戸当り２，２に、またフック金具７ｂを前記防水シート押え６に設けたことを特徴とする防水シート式浸水防止装置である。
【００１２】
防水シートの両側縁に設ける止ピン挿入孔には鳩目を設けることが好ましい。また防水シート押えの締付け金具としては、クレセントロック金具と称される締付け金具が好ましい。
【発明の効果】
【００１３】
本発明にかかる防水シート式浸水防止装置は、間口を閉塞する場合、先ずパイプ４を取付けた防水シート３の上縁を持って防水シート３をピット１より引上げ、パイプ４の両端を戸当り上部に設けた受け部２ａ，２ａに掛ける。
【００１４】
この時、防水シートの両側に設けた止ピン挿入孔３ｂは、戸当り２，２に植設した止ピン５に略自動的に引っ掛けられて立て付けられる。
【００１５】
次に戸当り２，２に蝶着されているコ状の防水シート押え版６，６を閉じて防水シート３の両側に当接した後、戸当り２，２に設けた締付け金具７，７，７，７で防水シート押え版６，６を防水シート両側に圧接させることにより防水シート３は弛みのない緊張状態で張設される。なお、この場合、防水シート押え版６，６に設けた突条６ａ，６ａは、防水シート３に設けた突条３ａ，３ａの内側と係合するようになっている。
【００１６】
そうして、防水シート３を外す場合は、前記操作とは逆の操作、即ち、先ず締付け金具７，７，７，７を外した後、防水シート押え版６，６を開き、次に防水シート上縁を手で持って、パイプ４の両端を受け部から外してピット１内に折り畳み収納すればよい。
【００１７】
以上のように、防水シート３の張設及び取り外しは頗る簡単且つ手早に行うことが出来、通常の構築物の間口ならば、婦女子でも迅速に且つ簡便に取り扱うことが出来る特長がある。
【００１８】
しかも、水位が上って、防水シート３に水圧が加わった場合、防水シート３は戸当り２，２に設けた止ピン５で掛止されると共に、防水シート押え版６に設けられた突条６ａが、防水シート３の両側に形成されている突条３ａと掛合されるため、水圧によって防水シート両側が戸当りより外れたり、水密性が失われることがなく、構造が簡単で利便性が高いこと相俟って、防水シート式浸水防止装置として産業上極めて有益なものである。
【図面の簡単な説明】
【００１９】
【図１】ピットの蓋と戸当りカバーを外した状態の本発明実施例の正面図である。
【図２】本発明実施例の防水シートの正面図である。
【図３】本発明実施例における左右の防水シート押えの正面図である。
【図４】防水シートの側縁と防水シート押えの係合状態を示す拡大平面図である。
【発明を実施するための形態】
【実施例】
【００２０】
図１はピットの蓋と戸当りカバーを外した状態の本発明に係る防水シート式浸水防止装置の正面図で、１は防水シート収納用ピット、２，２は前記ピットの両側に設けた戸当り、３はピットに下縁を緊密に固定し、両側縁が前記戸当りに接する幅員の防水シートである。
【００２１】
前記防水シート３の上縁は、両端が防水シート３の側縁より突出するパイプ４に取付けられており、また両側縁を構外側（図では手前側）に折り返して突条３ａ，３ａを形成し、この突条３ａ，３ａに適数の止ピン挿入孔３ｂ，３ｂを上下方向に適宜間隔で設け（通常は等間隔）、且つ、止ピン挿入孔３ｂに鳩目３ｂが設けられている。なお、突条３ａ，３ａの形成は他の構造であってもよい。例えば、防水シート３と同じ材料のテープ状片を接着する構造であってもよい。
【００２２】
そして、前記戸当り２，２には、前記止ピン挿入孔３ｂと係合する止ピン５を植設すると共に上部に前記パイプ端部４ａ，４ａの受け部２ａ，２ａが設けられている。
【００２３】
また、戸当り２，２には、前記防水シート３の突条３ａの内側と係合する突条６ａを設けたコ状の防水シート押え版６，６を蝶着すると共に、クレセントロック金具と称される２個づつの締付け金具７，７，７，７が設けられている。（図４参照）、なお、締付け金具７のレバー７ａは戸当り２に、またそのフック金具７ｂは防水シート押え版６に取付けられている。
【００２４】
次に、その取扱方法について説明すると、構築物の間口を閉塞する場合、先ずパイプを取付けた防水シート３の上縁を持って防水シート３をピット１より引上げ、パイプ４の両端４ａ，４ａを戸当り上部に設けた受け部２ａ，２ａに掛ける。
【００２５】
この時、防水シート３の両側に設けた止ピン挿入孔３ｂは、戸当り２に植設した止ピン５に略自動的に引っ掛けられて立て付けられる。
【００２６】
次に戸当り２，２に蝶着されているコ状の防水シート押え版６，６を防水シート３の両側に当接した後、戸当り２，２に設けた締付け金具７，７，７，７で防水シート押え版６，６を防水シート３の両側に圧接させることにより防水シート３は弛みのない緊張状態で張設される。なお、この場合、防水シート押え版６，６に設けた突条６ａ，６ａは、防水シート３に水圧が加わった時防水シート３に設けた突条３ａ，３ａの内側と係合するようになっている。
【００２７】
そうして、防水シート３を外す場合は、前記操作とは逆の操作、即ち、先ず締付け金具７，７，７，７を外した後、防水シート押え版６，６を開き、次に防水シート３の上縁を手で持って、パイプ４の両端４ａ，４ａを受け部２ａ，２ａから外してピット１内に折り畳み収納すればよい。
【００２８】
以上のように、防水シート３の張設及び取り外しは頗る簡単且つ手早に行うことが出来、通常の構築物の間口ならば、婦女子でも迅速に且つ簡便に取り扱うことが出来る特長がある。
【００２９】
しかも、水位が上って、防水シート３に水圧が加わった場合、防水シート３の両側縁は戸当り２，２に設けた止ピン５で掛止されると共に、防水シート押え版６，６に設けられた突条６ａ，６ａが、防水シート３の両側に形成されている突条３ａ，３ａとが掛合されるので、水圧によって防水シート３の両側が戸当り２，２より外れたり、水密性が失われることがなく、構造が簡単で利便性が高いこと相俟って、防水シート式浸水防止装置として産業上極めて有益なものである。
【符号の説明】
【００３０】
１     ピット
２     戸当り
２ａ    受け部
３     防水シート
３ａ    突条
３ｂ    止ピン挿入孔
３ｃ    鳩目
４     パイプ
５     止ピン
６     防水シート押え版
６ａ    突条
７     締付け金具
７ａ    レバー
７ｂ    フック金具
【図１】
0005449945.tif 000002
【図２】
0005449945.tif 000003
【図３】
0005449945.tif 000004
【図４】
0005449945.tif 000005